(57)【要約】本発明は、ゴルフクラブ用補助グリップに関し、ゴルフクラブのグリップが挿し込まれる収容部、及びゴルフクラブの把持位置を設定する突起部を備える補助グリップ本体；並びに収容部に引き出し自在に挿し込まれ、ゴルフクラブのグリップを収容部に挿し込むとき収容部とゴルフクラブのグリップとの間に介在してゴルフクラブグリップの移動をガイドし、収容部にゴルフクラブのグリップが挿し込まれれば、補助グリップ本体がゴルフクラブのグリップに密着固定するように収容部の外部に引き出される第１ガイド部材を含む。このような本発明によれば、第１ガイド部材を用いて補助グリップ本体をゴルフクラブのグリップにスムーズに取り付けることができ、ゴルフクラブのスイング中に補助グリップ本体を握る手の把持姿勢を一貫して維持してスイングの正確性及びゴルフボールの飛距離を増加させることができる。【選択図】図３
2016525431.tif 000002
【特許請求の範囲】
【請求項１】
ゴルフクラブのグリップが挿し込まれる収容部、及びゴルフクラブの把持位置を設定する突起部を備える補助グリップ本体と、
前記収容部に引き出し自在に挿し込まれ、前記ゴルフクラブのグリップを前記収容部に挿し込むとき前記収容部と前記ゴルフクラブのグリップとの間に介在して前記ゴルフクラブグリップの移動をガイドし、前記収容部に前記ゴルフクラブのグリップが挿し込まれれば、前記補助グリップ本体が前記ゴルフクラブのグリップに密着固定するように前記収容部の外部に引き出される第１ガイド部材と、を含むことを特徴とするゴルフクラブ用補助グリップ。
【請求項２】
前記補助グリップ本体は、伸縮自在な弾性材質で構成されることを特徴とする請求項１に記載のゴルフクラブ用補助グリップ。
【請求項３】
前記収容部は、前記ゴルフクラブのグリップより直径が小さく、
前記ゴルフクラブのグリップは、前記補助グリップ本体を伸ばしながら前記収容部に挿し込まれ、前記第１ガイド部材を前記収容部から引き出せば、前記補助グリップ本体が収縮しながら前記収容部の内側が前記ゴルフクラブグリップの外側に密着固定することを特徴とする請求項２に記載のゴルフクラブ用補助グリップ。
【請求項４】
前記補助グリップ本体は、長さ方向に形成され、前記補助グリップ本体の円周方向に伸縮自在なしわをさらに備えることを特徴とする請求項１に記載のゴルフクラブ用補助グリップ。
【請求項５】
前記第１ガイド部材は、
前記収容部の外部に露出して把持面を提供する第１把持部と、
前記収容部に引き出し自在に挿し込まれて前記ゴルフクラブグリップの移動をガイドする第１ガイド部と、を備えることを特徴とする請求項１に記載のゴルフクラブ用補助グリップ。
【請求項６】
前記第１把持部は、
前記収容部に前記ゴルフクラブのグリップを挿し込むとき、前記ゴルフクラブのグリップを前記収容部に案内する案内孔と、
外周に沿って予め決められた深さで形成され、前記収容部の一端部が分離可能に結合されて前記補助グリップ本体を固定する固定溝と、を備えることを特徴とする請求項５に記載のゴルフクラブ用補助グリップ。
【請求項７】
前記第１把持部は互いに分離締結可能な複数の把持ユニットからなり、前記第１ガイド部はそれぞれの把持ユニット毎に個別的に形成されることを特徴とする請求項５に記載のゴルフクラブ用補助グリップ。
【請求項８】
前記第１ガイド部は、前記複数の把持ユニットが互いに結合された状態で前記収容部に挿し込まれ、
前記収容部に前記ゴルフクラブのグリップが挿し込まれれば、前記複数の把持ユニットを互いに分離した後、それぞれの把持ユニットを引っ張ることでそれぞれの把持ユニットと連結された前記ガイド部を前記収容部から個別的に引き出すことを特徴とする請求項７に記載のゴルフクラブ用補助グリップ。
【請求項９】
前記第１ガイド部は、前記収容部の内側及び前記ゴルフクラブグリップの外側の少なくとも１つと接触可能に、長さ方向に沿って突設された少なくとも１つのガイド突起を備えることを特徴とする請求項５に記載のゴルフクラブ用補助グリップ。
【請求項１０】
前記ゴルフクラブグリップの少なくとも一部が引き出し自在に挿し込まれ、前記ゴルフクラブのグリップを前記収容部に挿し込むとき前記第１ガイド部材と前記ゴルフクラブのグリップとの間に介在して前記ゴルフクラブグリップの移動をガイドし、前記収容部にゴルフクラブのグリップが挿し込まれれば、前記補助グリップ本体が前記ゴルフクラブのグリップに密着固定するように前記収容部の外部に引き出される第２ガイド部材をさらに含むことを特徴とする請求項１に記載のゴルフクラブ用補助グリップ。
【請求項１１】
前記第２ガイド部材は、
前記収容部の外部に露出して把持面を提供する第１把持部と、
前記ゴルフクラブのグリップが引き出し自在に挿し込まれ、前記ゴルフクラブのグリップを囲んだ状態で前記収容部に挿し込まれて前記ゴルフクラブグリップの移動をガイドする第２ガイド部を備えることを特徴とする請求項１０に記載のゴルフクラブ用補助グリップ。
【請求項１２】
前記第２ガイド部材は、前記第２ガイド部の外側から突設され、前記第１ガイド部材と前記第２ガイド部との間に間隔を形成する突出部をさらに備えることを特徴とする請求項１１に記載のゴルフクラブ用補助グリップ。
【請求項１３】
前記第２ガイド部は、前記ゴルフクラブグリップの少なくとも一部分を囲むように前記第２把持部から個別的に延設される複数のガイドユニットからなることを特徴とする請求項１２に記載のゴルフクラブ用補助グリップ。
【請求項１４】
前記補助グリップ本体、前記第１ガイド部材及び前記第２ガイド部材のうち少なくとも１つは、前記補助グリップ本体を前記ゴルフクラブグリップの予め決められた定位置に取り付けるための基準方向を示す方向指示線を備えることを特徴とする請求項１０に記載のゴルフクラブ用補助グリップ。
【発明の詳細な説明】
【技術分野】
【０００１】
本発明は、ゴルフクラブのグリップに取り付けることができるゴルフクラブ用補助グリップに関する。
【０００２】
本出願は、２０１３年７月３１日出願の韓国特許出願第１０−２０１３−００９１００２号に基づく優先権を主張し、該当出願の明細書及び図面に開示された内容は、すべて本出願に援用される。
【背景技術】
【０００３】
一般的なゴルフクラブは、シャフト、シャフトの一端に取り付けられるヘッド、シャフトの他端に取り付けられるグリップなどからなる。グリップはゴルフクラブを握るためのものであって、一般に摩擦係数が相対的に高い軟質のゴムや合成樹脂の材質で製造される。
【０００４】
ゴルフクラブを用いて正確にスイングするためには、ゴルフクラブをスイングする間、より具体的には、ゴルフクラブのヘッドをボールに当てるために整列するアドレスとボールを打撃するインパクトとの間にグリップを握っている手の把持姿勢が変わらずに維持されねばならない。
【０００５】
ところが、ゴルフクラブをスイングするときはグリップに瞬間的に大きい力が作用するため、グリップを摩擦係数の相対的に高い軟質の合成樹脂材質で製造しても、インパクト時にグリップを握っている手が揺れたり滑ることがあり、スイング中に手の把持姿勢が維持できなくなるという問題がある。
【発明の概要】
【発明が解決しようとする課題】
【０００６】
本発明は、上記問題点に鑑みてなされたものであり、ゴルフのスイング中に手の把持姿勢を一貫して維持させるゴルフクラブ用補助グリップを提供することを目的とする。
【０００７】
また、本発明は、ゴルフクラブに設けられたグリップに容易に取り付けることができる構造を有するゴルフクラブ用補助グリップを提供することを目的とする。
【０００８】
さらに、本発明は、スイング時に捩れるか又はゴルフクラブのグリップから離脱しないように、ゴルフクラブのグリップに密着固定されるゴルフクラブ用補助グリップを提供することを目的とする。
【課題を解決するための手段】
【０００９】
上記の課題を達成するため、本発明の望ましい実施例によるゴルフクラブ用補助グリップは、ゴルフクラブのグリップが挿し込まれる収容部、及びゴルフクラブの把持位置を設定する突起部を備える補助グリップ本体；並びに前記収容部に引き出し自在に挿し込まれ、前記ゴルフクラブのグリップを前記収容部に挿し込むとき前記収容部と前記ゴルフクラブのグリップとの間に介在して前記ゴルフクラブグリップの移動をガイドし、前記収容部に前記ゴルフクラブのグリップが挿し込まれれば、前記補助グリップ本体が前記ゴルフクラブのグリップに密着固定するように前記収容部の外部に引き出される第１ガイド部材；を含むことを特徴とする。
【００１０】
望ましくは、前記補助グリップ本体は、伸縮可能な弾性材質で構成されることを特徴とする。
【００１１】
また望ましくは、前記収容部は、前記ゴルフクラブのグリップより直径が小さく、前記ゴルフクラブのグリップは前記補助グリップ本体を伸ばしながら前記収容部に挿し込まれ、前記第１ガイド部材を前記収容部から引き出せば、前記補助グリップ本体が収縮しながら前記収容部の内側が前記ゴルフクラブグリップの外側に密着固定することを特徴とする。
【００１２】
望ましくは、前記補助グリップ本体は、長さ方向に形成され、前記補助グリップ本体の円周方向に伸縮自在なしわをさらに備えることを特徴とする。
【００１３】
望ましくは、前記第１ガイド部材は、前記収容部の外部に露出して把持面を提供する第１把持部；及び前記収容部に引き出し自在に挿し込まれて前記ゴルフクラブグリップの移動をガイドする第１ガイド部；を備えることを特徴とする。
【００１４】
また望ましくは、前記第１把持部は、前記収容部に前記ゴルフクラブのグリップを挿し込むとき、前記ゴルフクラブのグリップを前記収容部に案内する案内孔；及び外周に沿って予め決められた深さで形成され、前記収容部の一端部が分離可能に結合されて前記補助グリップ本体を固定する固定溝；を備えることを特徴とする。
【００１５】
また望ましくは、前記第１把持部は互いに分離締結可能な複数の把持ユニットからなり、前記第１ガイド部はそれぞれの把持ユニット毎に個別的に形成されることを特徴とする。
【００１６】
特に、前記第１ガイド部は、前記複数の把持ユニットが互いに結合された状態で前記収容部に挿し込まれ、前記収容部に前記ゴルフクラブのグリップが挿し込まれれば、前記複数の把持ユニットを互いに分離した後、それぞれの把持ユニットを引っ張ることでそれぞれの把持ユニットと連結された前記ガイド部を前記収容部から個別的に引き出すことを特徴とする。
【００１７】
また望ましくは、前記第１ガイド部は、前記収容部の内側及び前記ゴルフクラブグリップの外側の少なくとも１つと接触可能に、長さ方向に沿って突設された少なくとも１つのガイド突起を備えることを特徴とする。
【００１８】
前記ゴルフクラブグリップの少なくとも一部が引き出し自在に挿し込まれ、前記ゴルフクラブのグリップを前記収容部に挿し込むとき前記第１ガイド部材と前記ゴルフクラブのグリップとの間に介在して前記ゴルフクラブグリップの移動をガイドし、前記収容部にゴルフクラブのグリップが挿し込まれれば、前記補助グリップ本体が前記ゴルフクラブのグリップに密着固定するように前記収容部の外部に引き出される第２ガイド部材をさらに含むことを特徴とする。
【００１９】
また望ましくは、前記第２ガイド部材は、前記収容部の外部に露出して把持面を提供する第１把持部；及び前記ゴルフクラブのグリップが引き出し自在に挿し込まれ、前記ゴルフクラブのグリップを囲んだ状態で前記収容部に挿し込まれて前記ゴルフクラブグリップの移動をガイドする第２ガイド部を備えることを特徴とする。
【００２０】
特に、前記第２ガイド部材は、前記第２ガイド部の外側から突設され、前記第１ガイド部材と前記第２ガイド部との間に間隔を形成する突出部をさらに備えることを特徴とする。
【００２１】
特に、前記第２ガイド部は、前記ゴルフクラブグリップの少なくとも一部分を囲むように前記第２把持部から個別的に延設される複数のガイドユニットからなることを特徴とする。
【００２２】
また望ましくは、前記補助グリップ本体、前記第１ガイド部材及び前記第２ガイド部材のうち少なくとも１つは、前記補助グリップ本体を前記ゴルフクラブグリップの予め決められた定位置に取り付けるための基準方向を示す方向指示線を備えることを特徴とする。
【発明の効果】
【００２３】
第一、補助グリップ本体の収容部に第１ガイド部材を挿し込んだ状態で補助グリップ本体の収容部にゴルフクラブのグリップを挿し込むことで、ゴルフクラブのグリップを補助グリップ本体の収容部にスムーズに挿し込むことができる。
【００２４】
第二、ゴルフクラブのグリップと第１ガイド部材とが直接接触しないように、ゴルフクラブのグリップに第２ガイド部材を取り付けた状態でゴルフクラブのグリップを補助グリップ本体の収容部に挿し込むことで、ゴルフクラブのグリップを補助グリップ本体の収容部によりスムーズに挿し込むことができる。
【００２５】
第三、補助グリップ本体の収容部にゴルフクラブのグリップが挿し込まれれば、第１ガイド部材と第２ガイド部材をそれぞれ補助グリップ本体の収容部から分離して補助グリップ本体をゴルフクラブのグリップに密着固定させることができる。
【００２６】
第四、第１ガイド部材と第２ガイド部材を複数のパーツに分離した後、それぞれのパーツを個別的に補助グリップ本体の収容部から分離できるため、第１ガイド部材と第２ガイド部材を補助グリップ本体の収容部から容易に分離することができる。
【００２７】
第五、補助グリップ本体の外周面にゴルフクラブの把持位置を設定する突起部及び溝部を設け、ゴルフクラブのスイング中に最適の把持姿勢を一貫して維持できるため、スイングの正確性を向上させてゴルフボールの飛距離を増加させることができる。
【図面の簡単な説明】
【００２８】
【図１】本発明の第１実施例によるゴルフクラブ用補助グリップの分離斜視図である。
【図２】本発明の第１実施例によるゴルフクラブ用補助グリップの補助グリップ本体と第１ガイド部材とが結合された状態の部分切断斜視図である。
【図３】本発明の第１実施例によるゴルフクラブ用補助グリップの補助グリップ本体をゴルフクラブのグリップに取り付ける過程を説明するための斜視図である。
【図４】本発明の第１実施例によるゴルフクラブ用補助グリップの補助グリップ本体をゴルフクラブのグリップに取り付ける過程を説明するための斜視図である。
【図５】本発明の第１実施例によるゴルフクラブ用補助グリップの補助グリップ本体をゴルフクラブのグリップに取り付ける過程を説明するための断面図である。
【図６】本発明の第１実施例によるゴルフクラブ用補助グリップの補助グリップ本体をゴルフクラブのグリップに取り付ける過程を説明するための斜視図である。
【図７】本発明の第１実施例によるゴルフクラブ用補助グリップにおいて、他の形態を有する第１ガイド部材の部分拡大図である。
【図８】本発明の第１実施例によるゴルフクラブ用補助グリップにおいて、さらに他の形態を有する第１ガイド部材の分離斜視図である。
【図９】本発明の第２実施例によるゴルフクラブ用補助グリップの分離斜視図である。
【図１０】一般的なゴルフクラブに備えられるゴルフクラブグリップの斜視図である。
【図１１】本発明の第２実施例によるゴルフクラブ用補助グリップの第２ガイド部材とゴルフクラブグリップとの結合斜視図である。
【図１２】本発明の第２実施例によるゴルフクラブ用補助グリップの補助グリップ本体をゴルフクラブのグリップに取り付ける過程を説明するための斜視図である。
【図１３】本発明の第２実施例によるゴルフクラブ用補助グリップの補助グリップ本体をゴルフクラブのグリップに取り付ける過程を説明するための斜視図である。
【図１４ａ】本発明の第２実施例によるゴルフクラブ用補助グリップの補助グリップ本体をゴルフクラブのグリップに取り付ける過程を説明するための断面図である。
【図１４ｂ】本発明の第２実施例によるゴルフクラブ用補助グリップの補助グリップ本体をゴルフクラブのグリップに取り付ける過程を説明するための部分切断斜視図である。
【図１５】本発明の第２実施例によるゴルフクラブ用補助グリップの補助グリップ本体をゴルフクラブのグリップに取り付ける過程を説明するための分離斜視図である。
【図１６】本発明の第２実施例によるゴルフクラブ用補助グリップの補助グリップ本体をゴルフクラブのグリップに取り付ける過程を説明するための斜視図である。
【図１７】本発明の第２実施例によるゴルフクラブ用補助グリップの補助グリップ本体をゴルフクラブのグリップに取り付ける過程を説明するための斜視図である。
【図１８】本発明の第２実施例によるゴルフクラブ用補助グリップの補助グリップ本体をゴルフクラブのグリップに取り付ける過程を説明するための斜視図である。
【発明を実施するための形態】
【００２９】
本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３０】
図面において、各構成要素またはその構成要素を成す特定部分の大きさは、説明の便宜上及び明確性のため、誇張、省略または概略して示された。したがって、各構成要素の大きさは実際の大きさを完全に反映するものではない。また、関連する公知の機能又は構成についての具体的な説明が本発明の要旨を不明にし得ると判断される場合、その説明は省略する。
【００３１】
図１は、本発明の第１実施例によるゴルフクラブ用補助グリップの分離斜視図である。
【００３２】
図１を参照すれば、本発明の第１実施例によるゴルフクラブ用補助グリップ１は、ゴルフクラブのグリップＧが挿し込まれる収容部１０ａを有する補助グリップ本体１０、及び収容部１０ａに引き出し自在に挿し込まれ、収容部１０ａにゴルフクラブのグリップＧを挿し込むとき、収容部１０ａとゴルフクラブのグリップＧとの間に配置されてゴルフクラブのグリップＧの移動をガイドする第１ガイド部材２０を含む。また、補助グリップ本体１０の収容部１０ａにゴルフクラブのグリップＧが挿し込まれれば、補助グリップ本体１０がゴルフクラブのグリップＧに密着固定するように、第１ガイド部材２０は収容部１０ａの外部に引き出される。本明細書において、ゴルフクラブのグリップＧとは、ゴルフクラブＣのシャフトＳの端部に取り付けられて、ゴルフクラブＣを握るためのゴルフクラブＣの握り手を言う。
【００３３】
補助グリップ本体１０は、ゴルフクラブＣの把持位置を設定するため、ゴルフクラブのグリップＧを囲むようにゴルフクラブのグリップＧに結合される。そのために、図１に示されたように、補助グリップ本体１０は、ゴルフクラブのグリップＧが挿し込まれる収容部１０ａ、第１ガイド部材２０の第１把持部２１が挿し込まれる通路を提供する入口１０ｂ、収容部１０ａにゴルフクラブのグリップＧを挿し込むとき、空気が排出される通路を提供する空気排出口１０ｃ、ゴルフクラブＣの把持位置を設定する突起部１２と溝部１４、及び補助グリップ本体１０に伸縮性を与えるしわ１６を含む。補助グリップ本体１０は、ゴルフクラブのグリップＧに密着固定できるように伸縮自在な弾性材質、例えば、摩擦係数が相対的に高い軟質のゴムやその他合成樹脂材質で形成されることが望ましい。
【００３４】
収容部１０ａは、ゴルフクラブのグリップＧを挿し込むために補助グリップ本体１０の内部に設けられる収容空間であって、補助グリップ本体１０の入口１０ｂ及び空気排出口１０ｃと連通される。収容部１０ａは、本発明の第１実施例によるゴルフクラブ用補助グリップ１を適用するゴルフクラブのグリップＧの形状に合わせて多様な形状を有し得る。例えば、ゴルフクラブのグリップＧが円筒状であれば、収容部１０ａもゴルフクラブのグリップＧの形状に対応して円筒状で形成することができる。収容部１０ａは、補助グリップ本体１０の弾力性を用いて補助グリップ本体１０をゴルフクラブのグリップＧに密着固定できるように、ゴルフクラブのグリップＧより若干小さい直径を有する。
【００３５】
入口１０ｂは、補助グリップ本体１０の一端部に収容部１０ａと連通して形成され、後述する第１ガイド部材２０の把持部２１を収容部１０ａに挿し込むための通路を提供する。
【００３６】
空気排出口１０ｃは、補助グリップ本体１０の他端部に収容部１０ａと連通して形成され、ゴルフクラブのグリップＧを収容部１０ａに挿し込むとき、収容部１０ａに満たされていた空気を外部に排出するための通路を提供する。収容部１０ａとゴルフクラブのグリップＧとの間に空気層が形成されれば、空気層によって収容部１０ａの内側とゴルフクラブのグリップＧの外側とが密着できなくなる。したがって、収容部１０ａとゴルフクラブのグリップＧとの間に空気層が形成されることを防止するため、空気排出口１０ｃが形成される。
【００３７】
突起部１２及び溝部１４は、補助グリップ本体１０の外側に形成され、ゴルフクラブＣの把持位置を設定する。すなわち、突起部１２及び溝部１４は予め決められた位置にそれぞれ形成されて右手と左手の把持位置をそれぞれ設定でき、右利き用ゴルフクラブであるかまたは左利き用ゴルフクラブであるかによってその形成位置が変わり得る。以下、説明の便宜上、右利き用ゴルフクラブに本発明の第１実施例によるゴルフクラブ用補助グリップ１を適用することに基づいて説明する。
【００３８】
突起部１２は、図１に示されたように、補助グリップ本体１０外側の上部と下部にそれぞれ「Ｖ」字状で突設される第１突起部１２ａ及び第２突起部１２ｂを含むことができる。ユーザは、第１突起部１２ａ及び第２突起部１２ｂの下端部がそれぞれ右手及び左手の親指と人差し指との間に入るように、第１突起部１２ａ及び第２突起部１２ｂを右手及び左手の親指と人差し指でそれぞれ把持することができる。
【００３９】
第１突起部１２ａ及び第２突起部１２ｂが形成される位置は特に限定されず、ユーザが最適の把持姿勢を維持できる把持位置にそれぞれ形成され、右手及び左手の親指及び人差し指の把持位置を個別的に設定する。最適の把持姿勢とは、例えば、スイング時にゴルフクラブＣのヘッド（図示せず）とボールとが約５゜の鋭角を成し得る把持姿勢を言う。
【００４０】
溝部１４は、第１突起部１２ａと第２突起部１２ｂとの間、そして第２突起部１２ｂと補助グリップ本体１０の下端部との間に複数形成され、右手及び左手の中指、薬指及び小指などの把持位置をそれぞれ設定することができる。
【００４１】
突起部１２と溝部１４の形成方法は特に限定されず、例えば、補助グリップ本体１０と一体的に射出成形することができる。勿論、突起部１２と溝部１４を別に製造して補助グリップ本体１０の外側に取り付けることもできる。
【００４２】
突起部１２と溝部１４の把持方法を見れば、先に、左手の親指と人差し指を用いて第１突起部１２ａを把持した後、左手の中指、薬指及び小指を用いて第１突起部１２ａの下部に設けられた溝部１４を把持することができる。その後、右手の親指と人差し指を用いて第２突起部１２ｂを把持し、右手の中指、薬指を用いて第２突起部１２ｂと第１突起部１２ａとの間に設けられた溝部１４を把持することができる。右手の小指は第１突起部１２ａを把持している左手の人差し指を包むように加圧することが望ましいが、これに限定されることはない。
【００４３】
このように突起部１２と溝部１４が設けられることで、ユーザは突起部１２と溝部１４を用いて補助グリップ本体１０から手が滑らないように補助グリップ本体１０をしっかり把持することができる。したがって、ゴルフクラブＣのスイング時に最適の把持姿勢を維持できるため、スイングの正確度を改善してボールの飛距離を増加させることができる。
【００４４】
しわ１６は、補助グリップ本体１０の長さ方向に沿って形成され、補助グリップ本体１０の円周方向に伸縮可能である。しわ１６は補助グリップ本体１０の外周面に補助グリップ本体１０の長さ方向に沿って複数の溝を設けて形成することができる。また、しわ１６は、図１に示されたように、突起部１２が形成されない領域に形成されることが望ましいが、これに限定されることはない。
【００４５】
しわ１６は、補助グリップ本体１０の円周方向に伸縮でき、補助グリップ本体１０の弾力性を補強する機能を果たす。したがって、しわ１６は、収容部１０ａにゴルフクラブのグリップＧを挿し込むとき補助グリップ本体１０の円周方向に伸びながら収容部１０ａにゴルフクラブのグリップＧを容易に挿し込めるようにする。
【００４６】
図２は、本発明の第１実施例によるゴルフクラブ用補助グリップの補助グリップ本体と第１ガイド部材とが結合された状態の部分切断斜視図である。
【００４７】
通常、ゴルフクラブのグリップＧはユーザの手がゴルフクラブのグリップＧから滑らないように摩擦係数の相対的に高いゴムやその他合成樹脂材質で製造される。また、補助グリップ本体１０も摩擦係数の相対的に高いゴムやその他合成樹脂材質で製造されるため、収容部１０ａにゴルフクラブのグリップＧを直接挿し込めば、収容部１０ａとゴルフクラブのグリップＧとの間に強い摩擦力が働き、ゴルフクラブのグリップＧを収容部１０ａにスムーズに挿し込むことができない。したがって、本発明の第１実施例によるゴルフクラブ用補助グリップ１では、収容部１０ａにゴルフクラブのグリップＧを挿し込むときゴルフクラブのグリップＧの移動をガイドする第１ガイド部材２０を使用する。
【００４８】
第１ガイド部材２０は、収容部１０ａとゴルフクラブのグリップＧとの間に介在してゴルフクラブのグリップＧに働く摩擦力を軽減させることでゴルフクラブのグリップＧの移動をガイドし、ゴルフクラブのグリップＧが収容部１０ａに挿し込まれた後は収容部１０ａから分離される。そのために、図１及び図２に示されたように、第１ガイド部材２０は収容部１０ａの外部に露出して把持面を提供する第１把持部２１、及び第１把持部２１から延設され、収容部１０ａに挿し込まれてゴルフクラブのグリップＧの移動をガイドする第１ガイド部２２を含む。第１ガイド部材２０の材質は特に限定されず、例えば、摩擦係数が相対的に低くて滑らかな性質を有するポリプロピレン（ＰＰ）やその他軟質の合成樹脂材質で製造することができる。
【００４９】
第１把持部２１は、ゴルフクラブのグリップＧを収容部１０ａに挿し込むときゴルフクラブのグリップＧを収容部１０ａに案内し、補助グリップ本体１０から第１ガイド部材２０を分離するとき第１ガイド部材２０を把持するための把持端を提供する。そのために、第１把持部２１は、図１及び図２に示されたように、ゴルフクラブのグリップＧを収容部１０ａに案内する案内孔２１ａ、把持面を提供するハンドル２３、及び収容部１０ａを固定する固定溝２５を含む。
【００５０】
ゴルフクラブのグリップＧを収容部１０ａに挿し込むときゴルフクラブのグリップＧを収容部１０ａに案内できるように、第１把持部２１の内部には収容部１０ａと連通する案内孔２１ａが形成される。案内孔２１ａは、ゴルフクラブのグリップＧが通過できるようにゴルフクラブのグリップＧより大きい直径を有する。
【００５１】
第１把持部２１の先端部は、第１ガイド部２２が収容部１０ａに挿し込まれるとき収容部１０ａの外部に露出し、第１ガイド部材２０を把持するための把持面を提供する。第１把持部２１の先端部には、第１ガイド部材２０をさらに容易に把持できるように、少なくとも１つのハンドル２３を設けることができる。
【００５２】
第１把持部２１の後端部は、収容部１０ａより大きい直径を有し、それにより、第１ガイド部２２が収容部１０ａに挿し込まれるとき、第１把持部２１の後端部の一部分は補助グリップ本体１０の入口１０ｂを通って収容部１０ａの先端部を広げながら収容部１０ａに挿し込まれる。第１把持部２１によって広がった収容部１０ａの先端部は、補助グリップ本体１０の弾性力によって第１把持部２１の後端部に密着固定する。したがって、補助グリップ本体１０の収容部１０ａの先端部がゴルフクラブのグリップＧの直径より大きく広がった状態になるため、ゴルフクラブのグリップＧを収容部１０ａにさらに容易に挿し込むことができる。
【００５３】
また、第１把持部２１の後端部には、予め決められた深さを有する固定溝２５が第１把持部２１の周りに沿って形成される。それにより、図２に示されたように、収容部１０ａの先端部が固定溝２５まで進入すれば、収容部１０ａの先端部は補助グリップ本体１０の弾性力によって収縮しながら固定溝２５に外嵌する。したがって、収容部１０ａにゴルフクラブのグリップＧを挿し込むとき、補助グリップ本体１０が揺れないように補助グリップ本体１０を把持部２１に固定することができる。
【００５４】
第１ガイド部２２は、第１把持部２１の後端部から延設され、収容部１０ａの内側及びゴルフクラブのグリップＧの外側の少なくとも１つと接触できるようにその長さ方向に沿って突設されるガイド突起２４を含む。
【００５５】
第１ガイド部２２の個数は特に限定されない。例えば、図１に示されたように、４つの第１ガイド部２２が第１把持部２１から延設され得る。それぞれの第１ガイド部２２は、ゴルフクラブのグリップＧの少なくとも一部分を囲めるように曲面状からなる。また、それぞれの第１ガイド部２２は、収容部１０ａに挿し込まれるときその端部が空気排出口１０ｃが設けられた補助グリップ本体１０の他端部に隣接した部分まで進入できる程度の長さを有することが望ましいが、これに限定されることはない。第１ガイド部２２の形成方法は特に限定されない。例えば、第１ガイド部２２は第１把持部２１と一体的に射出成形することができる。勿論、第１ガイド部２２を別に製造してから第１把持部２１に取り付けることもできる。
【００５６】
ガイド突起２４は、図１に示されたように、収容部１０ａの内側に線接触できるように第１ガイド部２２の外側から突設される。ガイド突起２４が設けられることで、第１ガイド部２２が収容部１０ａに挿し込まれるとき、第１ガイド部２２と収容部１０ａの内側とが接触する接触面積が低減される。したがって、第１ガイド部２２と収容部１０ａの内側との間で発生する摩擦力が減少し、第１ガイド部２２を収容部１０ａから容易に引き出すことができる。また、ガイド突起２４は収容部１０ａの内側と第１ガイド部２２との間またはゴルフクラブのグリップＧの外側と第１ガイド部２２との間に、空気が排出できる通路を提供することができる。すなわち、ガイド突起２４は、外部に排出されずに残っている空気が空気排出口１０ｃに向かって移動する通路を提供し、収容部１０ａとゴルフクラブのグリップＧとの間に気泡が残ることを防止することができる。
【００５７】
以上では、ガイド突起２４が第１ガイド部２２の外側に形成されることを説明したが、それに限定されることはない。すなわち、ガイド突起２４はゴルフクラブのグリップＧの外側と接触できるように第１ガイド部２２の内側から突設されても良く、第１ガイド部２２の外側と内側の両方に全て形成されても良い。
【００５８】
図３ないし図６は、本発明の第１実施例によるゴルフクラブ用補助グリップの補助グリップ本体をゴルフクラブのグリップに取り付ける過程を説明するための斜視図及び断面図である。
【００５９】
まず、図３に示されたように、第１ガイド部２２を補助グリップ本体１０の入口１０ｂから収容部１０ａの内部に挿し込み、第１把持部２１の固定溝２５に収容部１０ａの先端部を係合して第１ガイド部材２０と補助グリップ本体１０とを結合する。
【００６０】
次に、図４に示されたように、ゴルフクラブのグリップＧを第１把持部２１の案内孔２１ａから収容部１０ａの内部に挿し込む。
【００６１】
収容部１０ａの内部にゴルフクラブのグリップＧを挿し込めば、第１ガイド部２２はゴルフクラブのグリップＧによって収容部１０ａの内側の方に押され、第１ガイド部２２は収容部１０ａの内側とゴルフクラブのグリップＧの外側との間に介在する。これにより、図５に示されたように、収容部１０ａの内側は、ゴルフクラブのグリップＧの外側と第１ガイド部２２の厚さほど離隔する。したがって、ゴルフクラブのグリップＧは収容部１０ａと接触せず、第１ガイド部２２と接触した状態で収容部１０ａの内部に進入することができる。
【００６２】
第１ガイド部材２０は摩擦係数が相対的に低くて滑めらかな性質を有する軟質の合成樹脂で製造されるため、第１ガイド部２２とゴルフクラブのグリップＧとの間で発生する摩擦力は、摩擦係数が相対的に高いゴムやその他合成樹脂材質で製造される補助グリップ本体１０とゴルフクラブのグリップＧとの間で発生する摩擦力より小さい。したがって、ゴルフクラブのグリップＧを空気排出口１０ｃが設けられた補助グリップ本体１０の他端部まで容易に押し込んで収容部１０ａに挿し込むことができる。
【００６３】
その後、図６に示されたように、第１ガイド部材２０を補助グリップ本体１０から分離して補助グリップ本体１０とゴルフクラブのグリップＧとを密着固定させる。
【００６４】
第１把持部２１のハンドル２３を収容部１０ａの外側方向、より具体的に、ゴルフクラブＣのヘッド側に引っ張って第１把持部２１と第１ガイド部２２を収容部１０ａから引き出すことで、第１ガイド部材２０を補助グリップ本体１０から分離することができる。
【００６５】
第１ガイド部材２０を補助グリップ本体１０から分離すれば、図６に示されたように、補助グリップ本体１０は弾力性によって収縮する。それにより、収容部１０ａの内側がゴルフクラブのグリップＧの外側に密着することで補助グリップ本体１０とゴルフクラブのグリップＧとが結合される。
【００６６】
補助グリップ本体１０とゴルフクラブのグリップＧはともに摩擦係数の相対的に高いゴムやその他合成樹脂材質で製造されるため、一旦収容部１０ａの内側がゴルフクラブのグリップＧの外側に密着すれば、収容部１０ａの内側とゴルフクラブのグリップＧの外側との間に強い摩擦力が発生する。したがって、補助グリップ本体１０を把持した状態で強くスイングしても、補助グリップ本体１０が捩れるか又はゴルフクラブのグリップＧから分離されることが防止できる。したがって、把持位置を設定する突起部１２及び溝部１４を用いてゴルフクラブＣをしっかり把持した状態でスイングすることができ、スイングの正確性及びボールの飛距離を向上させることができる。
【００６７】
図７は、本発明の第１実施例によるゴルフクラブ用補助グリップにおいて、他の形状を有する第１ガイド部材の部分拡大図である。
【００６８】
収容部１０ａにゴルフクラブのグリップＧを挿し込んだ後補助グリップ本体１０から分離された第１ガイド部材２０は、第１把持部２１の案内孔２１ａにゴルフクラブＣのシャフトＳが挿し込まれてゴルフクラブＣによって拘束された状態であるため、第１ガイド部材２０をゴルフクラブＣから分離する過程がさらに必要となる。しかし、ゴルフクラブＣの先端部にはヘッドが取り付けられており、ゴルフクラブＣの後端部に設けられたゴルフクラブのグリップＧには補助グリップ本体１０が取り付けられているため、第１把持部２１がゴルフクラブＣのヘッドまたは補助グリップ本体１０の突起部１４に引っ掛かり、第１ガイド部材２０をゴルフクラブＣから分離し難い。したがって、補助グリップ本体１０から分離された第１ガイド部材２０の第１把持部２１をニッパーやカッターナイフで切断することで第１ガイド部材２０をゴルフクラブＣから分離することができる。
【００６９】
第１ガイド部材２０をゴルフクラブＣから分離するための第１把持部２１の切断面積が広ければ、第１把持部２１の切断に多くの力が必要であり、ニッパーやカッターナイフによって怪我をする恐れも高くなる。それを解決するため、第１把持部２１は複数の把持ユニットとそれぞれの把持ユニットを連結する連結具２６を含んで構成することができる。例えば、第１把持部２１は、図７に示されたように、互いに同じ構造を有する第１把持ユニット２１ｂ及び第２把持ユニット２１ｃ、そして第１把持ユニット２１ｂと第２把持ユニット２１ｃとの両端部を相互連結する少なくとも一対の連結具２６を含むことができる。また、それぞれの把持ユニット２１ｂ、２１ｃ毎に少なくとも１つの第１ガイド部２２を個別的に延設することができる。
【００７０】
連結具２６は、第１把持ユニット２１ｂと第２把持ユニット２１ｃとの間に設けられ、第１把持ユニット２１ｂと第２把持ユニット２１ｃとを一体的に結合する。連結具２６は、第１把持ユニット２１ｂと第２把持ユニット２１ｃより幅の狭い帯状である。また、連結具２６は第１把持ユニット２１ｂ及び第２把持ユニット２１ｃと一体的に射出成形されることが望ましいが、これに限定されることはない。
【００７１】
このように第１把持部２１が設けられることによって、第１ガイド部材２０を補助グリップ本体１０と結合する場合は、第１把持ユニット２１ｂと第２把持ユニット２１ｃとが連結具２６によって一体的に結合された状態で第１ガイド部材２０を補助グリップ本体１０と結合することができる。また、収容部１０ａにゴルフクラブのグリップＧを挿し込んだ後第１ガイド部材２０を補助グリップ本体１０から分離する場合には、まず、爪切りやカッターナイフで連結具２６を切断して、第１把持ユニット２１ｂと第２把持ユニット２１ｃとの結合を解除する。その後、それぞれの把持ユニット２１ｂ、２１ｃと連結された第１ガイド部２２を収容部１０ａから別々に引き出し、第１ガイド部材２０を補助グリップ本体１０から分離することができる。
【００７２】
連結具２６は、第１把持ユニット２１ｂと第２把持ユニット２１ｃより幅の狭い帯状であるため、小さい力でも容易に切断でき、切断するときに爪切りやカッターナイフによる怪我の恐れが低い。また、連結具２６を切断して第１把持部２１を第１把持ユニット２１ｂと第２把持ユニット２１ｃとに分離することで、収容部１０ａに挿し込まれた複数の第１ガイド部２２を収容部１０ａから一度に引き出す必要なく、それぞれの把持ユニット２１ｂ、２１ｃと連結された第１ガイド部２２のみを収容部１０ａから選別的に引き出すことができる。したがって、第１ガイド部２２を収容部１０ａから引き出すときに必要となる力を分散できるため、第１ガイド部２２を収容部１０ａから容易に引き出すことができる。
【００７３】
図８は、本発明の第１実施例によるゴルフクラブ用補助グリップにおいて、さらに他の形状を有する第１ガイド部材の分離斜視図である。
【００７４】
上述したように、第１把持部２１を第１把持ユニット２１ｂ、第２把持ユニット２１ｃ及び連結具２６で構成すれば、連結具２６を切断して、補助グリップ本体１０から分離された第１ガイド部材２０をゴルフクラブＣから分離することができる。しかし、連結具２６が切断されることで第１ガイド部材２０を再使用することができず、第１ガイド部材２０を設けるためのコストが増加するという問題が生じる。
【００７５】
それを解決するため、第１ガイド部材２０の第１把持部２１は、互いに分離締結可能な複数の把持ユニットからなり、それぞれの把持ユニット毎に少なくとも１つの第１ガイド部２２を延設することができる。例えば、図８に示されたように、第１把持部２１は互いに同じ構造を有し、分離可能に締結される第１把持ユニット２１ｂと第２把持ユニット２１ｃからなり、それぞれの把持ユニット２１ｂ、２１ｃ毎に少なくとも１つの第１ガイド部２２を延設することができる。
【００７６】
第１把持ユニット２１ｂと第２把持ユニット２１ｃの分離締結方法は、特に限定されない。例えば、図８に示されたように、第１把持ユニット２１ｂと第２把持ユニット２１ｃは、それぞれ、両方の結合面のいずれか一方に形成される結合突起２７及び他方に形成される結合溝２８を含む。結合突起２７は、結合溝２８に分離可能に挿し込まれるように結合溝２８に対応する形状を有する。したがって、第１把持ユニット２１ｂと第２把持ユニット２１ｃのいずれか一方に設けられた結合溝２８に他方に設けられた結合突起２７を挿し込んで第１把持ユニット２１ｂと第２把持ユニット２１ｃとを一体的に締結することができる。
【００７７】
このように第１把持部２１が設けられることによって、第１ガイド部材２０を補助グリップ本体１０と結合する場合は、第１把持ユニット２１ｂと第２把持ユニット２１ｃとが一体的に締結された状態で第１ガイド部材２０を補助グリップ本体１０と結合することができる。また、収容部１０ａにゴルフクラブのグリップＧを挿し込んだ後第１ガイド部材２０を補助グリップ本体１０から分離する場合には、まず、結合溝２８と結合突起２７とを分離して第１把持ユニット２１ｂと第２把持ユニット２１ｃとの締結を解除する。その後、それぞれの把持ユニット２１ｂ、２１ｃと連結された第１ガイド部２２を収容部１０ａから別々に引き出し、第１ガイド部材２０を補助グリップ本体１０から分離することができる。
【００７８】
結合溝２８から結合突起２７を分離して第１把持ユニット２１ｂと第２把持ユニット２１ｃとの締結を解除すれば、第１把持部２１や連結具２６を切断しなくても第１ガイド部材２０をゴルフクラブＣから分離することができる。したがって、第１ガイド部材２０を再使用することができるため、第１ガイド部材２０を設けるためのコストが節減できる。また、それぞれの把持ユニット２１ｂ、２１ｃと連結された第１ガイド部２２のみを収容部１０ａから選別的に引き出すことができるため、第１ガイド部２２を収容部１０ａから容易に引き出すことができる。
【００７９】
一方、上述した複数の把持ユニットを連結具２６を用いて連結する方式と、複数の把持ユニットを結合溝２８と結合突起２７を用いて分離・締結する方式は、択一的に選択すべきものではない。例えば、複数の把持ユニットのうち一部の把持ユニットは連結具２６を用いて連結させ、他の把持ユニットは結合溝２８と結合突起２７を用いて締結させることもできる。
【００８０】
図９は本発明の第２実施例によるゴルフクラブ用補助グリップの分離斜視図であり、図１０は一般的なゴルフクラブに備えられるゴルフクラブグリップの斜視図である。
【００８１】
図９を参照すれば、本発明の第２実施例によるゴルフクラブ用補助グリップ２は、ゴルフクラブのグリップＧが挿し込まれる収容部１１０ａを有する補助グリップ本体１１０、及び収容部１１０ａに引き出し自在に挿し込まれ、収容部１１０ａにゴルフクラブのグリップＧを挿し込むとき収容部１１０ａとゴルフクラブのグリップＧとの間に介在してゴルフクラブのグリップＧの移動をガイドする第１ガイド部材１２０、ゴルフクラブのグリップＧの少なくとも一部が引き出し自在に挿し込まれ、ゴルフクラブのグリップＧを収容部１１０ａに挿し込むとき第１ガイド部材１２０とゴルフクラブのグリップＧとの間に介在してゴルフクラブのグリップＧの移動を案内する第２ガイド部材１３０を含む。また、補助グリップ本体１１０の収容部１１０ａにゴルフクラブのグリップＧが挿し込まれれば、第１ガイド部材１２０と第２ガイド部材１３０はそれぞれ補助グリップ本体１１０がゴルフクラブのグリップＧに密着固定するように収容部１１０ａの外部に引き出される。
【００８２】
本発明の第２実施例によるゴルフクラブ用補助グリップ２は、収容部１１０ａにゴルフクラブのグリップＧを挿し込むとき第１ガイド部材１２０とゴルフクラブのグリップＧとの間に介在して、第１ガイド部材１２０と連動してゴルフクラブのグリップＧの移動をガイドする第２ガイド部材１３０をさらに含むという点で本発明の第１実施例によるゴルフクラブ用補助グリップ１と主な相違点を有する。以下では、このような相違点を中心に本発明の第２実施例によるゴルフクラブ用補助グリップ２について説明し、本発明の第１実施例によるゴルフクラブ用補助グリップ１と同じ事項については説明を省くか又は簡単に説明する。
【００８３】
補助グリップ本体１１０は、ゴルフクラブＣの把持位置を設定するため、ゴルフクラブのグリップＧを囲むようにゴルフクラブのグリップＧに結合される。そのために、図９に示されたように、補助グリップ本体１１０はゴルフクラブのグリップＧが挿し込まれる収容部１１０ａ、第１ガイド部材１２０の第１把持部１２１が挿し込まれる通路を提供する入口１１０ｂ、収容部１１０ａにゴルフクラブのグリップＧを挿し込むとき、空気が排出される通路を提供する空気排出口１１０ｃ、ゴルフクラブＣの把持位置を設定する突起部１１２、補助グリップ本体１１０をゴルフクラブのグリップＧの予め決められた定位置に取り付けるための基準方向を示す方向指示線１１４を含む。補助グリップ本体１１０は、空気排出口１１０ｃを通じて後述する第２ガイド部材１３０を収容部１１０ａから分離できるように空気排出口１１０ｃの直径が大きいこと、溝部１４としわ１６を含まないこと、方向指示線１１４をさらに含むことを除いて、本発明の第１実施例によるゴルフクラブ用補助グリップ１の補助グリップ本体１０と同じ構成を有する。
【００８４】
方向指示線１１４は、補助グリップ本体１１０の外側に形成され、補助グリップ本体１１０をゴルフクラブのグリップＧの予め決められた定位置に取り付けるための基準方向を示す。図１０に示されたように、一般にゴルフクラブのグリップＧにはゴルフクラブＣを一定姿勢で把持できるようにヘッドの中心点を示す方向指示線Ｄが設けられる。方向指示線１１４はゴルフクラブのグリップＧの方向指示線Ｄと一直線に形成される。したがって、方向指示線１１４とゴルフクラブのグリップＧの方向指示線Ｄが一直線になるように補助グリップ本体１１０をゴルフクラブのグリップＧに取り付けることで、補助グリップ本体１１０をゴルフクラブのグリップＧの予め決められた定位置に取り付けることができる。
【００８５】
方向指示線１１４の個数と形成位置は特に限定されない。例えば、図９に示されたように、補助グリップ本体１１０は入口１１０ｂと隣接して形成される第１方向指示線１１４ａ及び空気排出口１１０ｃと隣接して形成される第２方向指示線１１４ｂの２つの方向指示線１１４を含むことができる。このような第１方向指示線１１４ａと第２方向指示線１１４ｂを用いて補助グリップ本体１１０をゴルフクラブのグリップＧの予め決められた定位置に取り付ける具体的な方法は後述する。
【００８６】
空気排出口１１０ｃは、補助グリップ本体１１０の他端部に収容部１１０ａと連通して形成され、ゴルフクラブのグリップＧを収容部１１０ａに挿し込むとき、収容部１１０ａに満たされていた空気を外部に排出するための通路を提供する。収容部１１０ａとゴルフクラブのグリップＧとの間に空気層が形成されれば、空気層によって収容部１１０ａの内側とゴルフクラブのグリップＧの外側とが密着できなくなる。したがって、収容部１１０ａとゴルフクラブのグリップＧとの間に空気層が形成されることを防止するため、空気排出口１１０ｃが形成される。第２ガイド部１３４を空気排出口１１０ｃを通じて収容部１１０ａから引き出せるように、空気排出口１１０ｃは収容部１１０ａと同じ直径で設けることが望ましい。
【００８７】
第１ガイド部材１２０は、収容部１１０ａとゴルフクラブのグリップＧとの間に介在してゴルフクラブのグリップＧに作用する摩擦力を軽減させることでゴルフクラブのグリップＧの移動をガイドし、ゴルフクラブのグリップＧが収容部１１０ａに挿し込まれた後は収容部１１０ａから分離される。そのために、図９に示されたように、第１ガイド部材１２０は、収容部１１０ａの外部に露出して把持面を提供する第１把持部１２１、及び収容部１１０ａから延設され、収容部１１０ａに挿し込まれてゴルフクラブのグリップＧの移動をガイドする第１ガイド部１２２を含む。第１ガイド部材１２０の材質は特に限定されず、例えば、摩擦係数が相対的に低くて滑めらかな性質を有するポリプロピレン（ＰＰ）やその他軟質の合成樹脂材質で製造することができる。
【００８８】
第１ガイド部材１２０は、第１把持部１２１に方向指示線１２６がさらに設けられることを除いて、図８に示された本発明の第１実施例によるゴルフクラブ用補助グリップ１と同じ構造を有する。したがって、重なる事項については説明を省くか又は簡単に説明する。
【００８９】
第１把持部１２１は、ゴルフクラブのグリップＧを収容部１１０ａに挿し込むときゴルフクラブのグリップＧを収容部１１０ａに案内し、補助グリップ本体１１０から第１ガイド部材１２０を分離するとき第１ガイド部材１２０を把持するための把持面を提供する。そのために、第１把持部１２１は、図９に示されたように、把持面を提供するハンドル１２３、及び収容部１１０ａを第１把持部１２１に固定する固定溝１２５、及び補助グリップ本体１１０をゴルフクラブのグリップＧの予め決められた定位置に取り付けるための基準方向を示す方向指示線１２６を含む。また、第１把持部１２１は、互いに同じ構造を有して、結合突起１２７と結合溝１２８によって分離締結可能な第１把持ユニット１２１ｂと第２把持ユニット１２１ｃからなる。
【００９０】
方向指示線１２６は、第１把持部１２１の外側に形成され、補助グリップ本体１１０をゴルフクラブのグリップＧの予め決められた定位置に取り付けるための基準方向を示す。第１把持部１２１の入口１１０ｂを通じてゴルフクラブのグリップＧを収容部１１０ａに挿し込むとき、補助グリップ本体１１０の方向指示線１１４とゴルフクラブのグリップＧの方向指示線Ｄとは第１把持部１２１によって互いに離隔する。そのため、補助グリップ本体１１０の方向指示線１１４とゴルフクラブのグリップＧの方向指示線Ｄとが一直線になるか否かを正確に把握し難く、それを解決するため、第１把持部１２１にも補助グリップ本体１１０と同様に方向指示線１２６が設けられる。
【００９１】
図９に示されたように、方向指示線１２６は第１把持部１２１の外側に補助グリップ本体１１０の方向指示線１１４と一直線になるように形成される。したがって、第１把持部１２１の方向指示線１２６と補助グリップ本体１１０の方向指示線１１４とが一直線になるように補助グリップ本体１１０と第１ガイド部材１２０とを結合することができる。それにより、ゴルフクラブのグリップＧを収容部１１０ａに挿し込むとき、第１把持部１２１の方向指示線１２６を介して補助グリップ本体１１０の方向指示線１１４とゴルフクラブのグリップＧの方向指示線Ｄとが一直線になるようにゴルフクラブのグリップＧを収容部１１０ａに挿し込むことができる。
【００９２】
第１ガイド部１２２は、第１把持部１２１の後端部から延設され、収容部１１０ａに引き出し自在に挿し込まれ、ゴルフクラブのグリップＧを収容部１１０ａに挿し込むとき、収容部１１０ａとゴルフクラブのグリップＧとの間に介在してゴルフクラブのグリップＧの移動をガイドする。第１ガイド部１２２はゴルフクラブのグリップＧの代わりに第２ガイド部材１３０の第２ガイド部１３４と接触することのみが、図８に示された本発明の第１実施例によるゴルフクラブ用補助グリップ１の第１ガイド部２２と異なる。
【００９３】
第１ガイド部１２２は、その長さ方向に沿って突設されるガイド突起１２４を含む。図９に示されたように、ガイド突起１２４は第２ガイド部材１３０の第２ガイド部１３４と線接触できるように第１ガイド部１２２の外側から突設される。勿論、ガイド突起１２４は、ゴルフクラブのグリップＧの外側と線接触できるように第１ガイド部１２２の内側から突設されても良く、第１ガイド部１２２の外側と内側の両方ともに形成されても良い。
【００９４】
図１１は、本発明の第２実施例によるゴルフクラブ用補助グリップの第２ガイド部材とゴルフクラブグリップとの結合斜視図である。
【００９５】
本発明の第１実施例によるゴルフクラブ用補助グリップ１は、ゴルフクラブのグリップＧと補助グリップ本体１０が摩擦係数の相対的に高いゴムやその他合成樹脂材質で構成されることを考慮して、収容部１０ａとゴルフクラブのグリップＧとの間に摩擦係数の低い軟質の合成樹脂で構成される第１ガイド部材２０の第１ガイド部２２を介在させる。したがって、ゴルフクラブのグリップＧが収容部１０ａの代わりに第１ガイド部２２と接触するため、ゴルフクラブのグリップＧと収容部１０ａとが直接接触する場合に比べてゴルフクラブのグリップＧに作用する摩擦力が低減する。しかし、ゴルフクラブのグリップＧの高い摩擦係数のため、第１ガイド部２２をゴルフクラブのグリップＧと収容部１０ａとの間に介在させることによる摩擦力の減少が不十分なことがあり得る。それを解決するため、本発明の第２実施例によるゴルフクラブ用補助グリップ２は、収容部１１０ａにゴルフクラブのグリップＧを挿し込むとき、ゴルフクラブのグリップＧと第１ガイド部材１２０とが直接接触しないように、ゴルフクラブのグリップＧを囲んだ状態で収容部１１０ａに挿し込まれる第２ガイド部材１３０を含む。
【００９６】
第２ガイド部材１３０は、ゴルフクラブのグリップＧを収容部１１０ａに挿し込むとき、ゴルフクラブのグリップＧを囲んだ状態で収容部１１０ａに挿し込まれ、ゴルフクラブのグリップＧと一緒に収容部１１０ａに沿って移動しながらゴルフクラブのグリップＧと第１ガイド部材１２０とが直接接触することを防止する。すなわち、第２ガイド部材１３０は、ゴルフクラブのグリップＧと第１ガイド部材１２０との間に介在してゴルフクラブのグリップＧの代わりに第１ガイド部材１２０と接触することで、ゴルフクラブのグリップＧを収容部１１０ａに挿し込むときに発生する摩擦力を軽減させ、ゴルフクラブのグリップＧの移動をガイドし、ゴルフクラブのグリップＧが収容部１１０ａに挿し込まれた後は収容部１１０ａから分離される。そのために、図１１に示されたように、第２ガイド部材１３０は、収容部１１０ａの外部に露出して把持面を提供する第２把持部１３２、ゴルフクラブのグリップＧが引き出し自在に挿し込まれ、ゴルフクラブのグリップＧを囲んだ状態で収容部１１０ａに挿し込まれてゴルフクラブのグリップＧの移動をガイドする第２ガイド部１３４、及び第２ガイド部１３４の外側から突設され、第１ガイド部材１２０と第２ガイド部材１３０との間に間隔を形成する突出部１３６を含む。第２ガイド部材１３０の材質は特に限定されず、例えば、摩擦係数が相対的に低くて滑めらかな性質を有するポリプロピレンやその他軟質の合成樹脂材質で製造することができる。
【００９７】
第２把持部１３２は第２ガイド部材１３０の先端部に設けられ、ゴルフクラブのグリップＧを収容部１１０ａに挿し込むとき、空気排出口１１０ｃを通じて収容部１１０ａの外部に露出して把持面を提供する。第２把持部１３２の形状は特に限定されない。例えば、図１１に示されたように、第２把持部１３２は、内部に所定の空間が形成されるように円形で突出した曲面状を有し、中心部には第２把持部１３２を容易に把持できるように把持孔１３２ａが形成される。第２把持部１３２を用いて第２ガイド部材１３０を補助グリップ本体１１０から分離する具体的な方法は後述する。
【００９８】
第２ガイド部１３４は、第２把持部１３２の後端部から延設され、内部空間にゴルフクラブのグリップＧの少なくとも一部が引き出し自在に挿し込まれる。第２ガイド部１３４は、補助グリップ本体１１０をゴルフクラブのグリップＧの予め決められた定位置に取り付けるための基準方向を示す方向指示線１３８を含む。第２ガイド部１３４は、第１ガイド部１２２とゴルフクラブのグリップＧとが直接接触することを防止できるように、補助グリップ本体１１０と同じであるか又は補助グリップ本体１１０より多少短い長さを有することが望ましい。
【００９９】
第２ガイド部１３４の形状は特に限定されない。例えば、図１１に示されたように、第２ガイド部１３４は、ゴルフクラブのグリップＧの少なくとも一部分を囲めるように第２把持部１３２から個別的に延設される複数のガイドユニット１３４ａで構成することができる。一般に、ゴルフクラブのグリップＧは端部に行くほど拡径するため、第２ガイド部１３４を弾性変形させながら第２ガイド部１３４の内部空間にゴルフクラブのグリップＧを挿入できるように、第２ガイド部１３４は複数のガイドユニット１３４ａで構成される。それぞれのガイドユニット１３４ａは、ゴルフクラブのグリップＧの少なくとも一部分を囲めるように、ゴルフクラブのグリップＧと同じ曲率を有する。
【０１００】
方向指示線１３８は、ガイドユニット１３４ａのうち少なくとも１つの外側に形成され、補助グリップ本体１１０をゴルフクラブのグリップＧの予め決められた定位置に取り付けるための基準方向を示す。ゴルフクラブのグリップＧは第２ガイド部材１３０が外嵌した状態で収容部１１０ａに挿し込まれるため、ゴルフクラブのグリップＧの方向指示線Ｄがガイドユニット１３４ａによって隠され、ゴルフクラブのグリップＧの方向指示線Ｄを認識し難いことがあり得る。したがって、図１１に示されたように、ゴルフクラブのグリップＧに第２ガイド部材１３０が外嵌した状態でもゴルフクラブのグリップＧの方向指示線を認識できるように、第２ガイド部材１３０は透明な材質で形成され、ガイドユニット１３４ａの外側にゴルフクラブＣの方向指示線Ｄと一直線になるように形成された方向指示線１３８をさらに含む。
【０１０１】
突出部１３６は、第２ガイド部１３４の外側から突設され、第１ガイド部１２２と第２ガイド部１３４との間に予め決められた間隔を形成する。第２ガイド部１３４が第１ガイド部１２２と密着すれば、補助グリップ本体１１０の弾性力によって第２ガイド部１３４が加圧され、第２ガイド部１３４を収容部１１０ａから引き出し難いことがあり得る。したがって、第１ガイド部１２２と第２ガイド部１３４とが互いに密着しないように、第１ガイド部１２２をゴルフクラブのグリップＧの半径方向に押して第１ガイド部１２２と第２ガイド部１３４との間に間隔を形成する突出部１３６が設けられる。図１１に示されたように、突出部１３６はそれぞれのガイドユニット１３４ａの後端部から突設されることが望ましいが、これに限定されることはない。
【０１０２】
図１２ないし図１８は、本発明の第２実施例によるゴルフクラブ用補助グリップの補助グリップ本体をゴルフクラブのグリップに取り付ける過程を説明するための斜視図及び断面図である。
【０１０３】
以下、図１２ないし図１８を参照して、本発明の第２実施例によるゴルフクラブ用補助グリップ２を用いて補助グリップ本体１１０をゴルフクラブのグリップＧに取り付ける過程を説明する。
【０１０４】
まず、図１２に示されたように、第１ガイド部１２２を収容部１１０ａに挿し込んで収容部１１０ａの先端部を第１把持部１２１の固定溝１２５に固定することで、第１ガイド部材１２０と補助グリップ本体１１０とを結合する。第１ガイド部材１２０と補助グリップ本体１１０とは、補助グリップ本体１１０の方向指示線１１４と第１ガイド部材１２０の方向指示線１２６とが互いに一直線になるように結合することが望ましい。
【０１０５】
次に、図１２に示されたように、第２ガイド部１３４にゴルフクラブのグリップＧを挿し込んで第２ガイド部材１３０とゴルフクラブのグリップＧとを結合する。第２ガイド部材１３０とゴルフクラブのグリップＧとは第２ガイド部材１３０の方向指示線１３８とゴルフクラブのグリップＧの方向指示線Ｄとが互いに一直線になるように結合することが望ましい。
【０１０６】
その後、図１３に示されたように、第２ガイド部材１３０が結合された状態のゴルフクラブのグリップＧを第１ガイド部材１２０と結合された状態の収容部１１０ａに挿し込む。ゴルフクラブのグリップＧは第２ガイド部１３４が外嵌した状態であり、収容部１１０ａには第２ガイド部１３４が挿入された状態であるため、図１４ａ及び図１４ｂに示されたように、ゴルフクラブのグリップＧを収容部１１０ａに挿し込めば、ゴルフクラブのグリップＧと収容部１１０ａとの間に第１ガイド部１２２と第２ガイド部１３４が介在する。これにより、ゴルフクラブのグリップＧを収容部１１０ａに沿って移動させるとき、第１ガイド部１２２と第２ガイド部１３４とのみが互いに接触する。第１ガイド部１２２と第２ガイド部１３４は摩擦係数の相対的に低い軟質の合成樹脂材質で構成されるため、ゴルフクラブのグリップＧを収容部１１０ａに沿って移動させるとき、第１ガイド部１２２と第２ガイド部１３４との間に相対的に弱い摩擦力が発生する。したがって、ゴルフクラブのグリップＧを大きい力を入れずに収容部１１０ａに容易に挿し込むことができる。
【０１０７】
また、ゴルフクラブのグリップＧは、ゴルフクラブのグリップＧの方向指示線Ｄ、第２ガイド部材１３０の方向指示線１３８、第１ガイド部材１２０の方向指示線１２６及び補助グリップ本体１１０の方向指示線１１４が互いに一直線になるように収容部１１０ａに挿し込むことが望ましい。それにより、補助グリップ本体１１０をゴルフクラブのグリップＧの予め決められた定位置に取り付けることができるため、誤装着を防止することができる。
【０１０８】
また、ゴルフクラブのグリップＧは、第２把持部１３２が空気排出口１１０ｃを通じて収容部１１０ａの外部に露出するまで挿し込まれる。ゴルフクラブのグリップＧが収容部１１０ａに挿し込まれる長さは、補助グリップ本体１１０をゴルフクラブのグリップＧに取り付けようとする位置によって変わり得る。例えば、ゴルフクラブＣを短く持ってスイングしようとする場合は、ゴルフクラブのグリップＧを収容部１１０ａに深く挿し込み、ゴルフクラブＣを長く持ってスイングしようとする場合は、ゴルフクラブのグリップＧを収容部１１０ａに浅く挿し込むことが望ましい。ゴルフクラブのグリップＧが収容部１１０ａに挿し込まれた長さを測定できるように、第１ガイド部１２２の端部には長さ測定目盛り（図示せず）が設けられ得る。
【０１０９】
次に、第２ガイド部材１３０を補助グリップ本体１１０から分離する。空気排出口１１０ｃを通じて収容部１１０ａの外部に露出した第２把持部１３２を収容部１１０ａの外側方向に引っ張って第２ガイド部１３４を収容部１１０ａから引き出すことで、第２ガイド部材１３０を補助グリップ本体１１０から分離することができる。
【０１１０】
しかし、第２ガイド部１３４を構成する全てのガイドユニット１３４ａを収容部１１０ａから一度に引き出すには多くの力が必要となり、第２ガイド部１３４を引き出し難いことがあり得る。したがって、ガイドユニット１３４ａを収容部１１０ａからそれぞれ個別に引き出すことが望ましい。例えば、図１５及び図１６に示されたように、第２把持部１３２をニッパーやはさみで複数のパーツ１３２ａに切断した後、それぞれのパーツ１３２ａを収容部１１０ａの外側方向に引っ張ることでそれぞれのパーツ１３２ａと連結されたガイドユニット１３４ａを収容部１１０ａから個別的に引き出すことができる。それにより、第２ガイド部１３４を収容部１１０ａから引き出すのに必要な力を分散できるため、第２ガイド部材１３０を補助グリップ本体１１０から容易に分離することができる。
【０１１１】
また、第２ガイド部１３４を収容部１１０ａから引き出すとき、突出部１３６が第１ガイド部１２２と第２ガイド部１３４との間に間隔を形成して第１ガイド部１２２と第２ガイド部１３４との密着を防止するため、第２ガイド部材１３０を補助グリップ本体１１０からさらに容易に分離することができる（図１４ｂを参照）。
【０１１２】
その後、第１ガイド部材１２０を補助グリップ本体１１０から分離する。入口１１０ｂを通じて収容部１１０ａの外部に露出した第１把持部１２１を収容部１１０ａの外側方向に引っ張って第１ガイド部１２２を収容部１１０ａから引き出すことで、第１ガイド部材１２０を収容部１１０ａから分離することができる。
【０１１３】
しかし、収容部１１０ａには複数の第１ガイド部１２２が挿し込まれており、すべての第１ガイド部１２２を収容部１１０ａから一度に引き出すには多くの力が必要となり、第１ガイド部１２２を引き出し難いことがあり得る。したがって、第１ガイド部１２２を収容部１１０ａからそれぞれ個別に引き出すことが望ましい。例えば、図１７及び図１８に示されたように、結合溝１２８から結合突起１２７を分離して第１把持ユニット１２１ｂと第２把持ユニット１２１ｃとの締結を解除した後、それぞれの把持ユニット１２１ｂ、１２１ｃを収容部１１０ａの外側方向に引っ張ることで、それぞれの把持ユニット１２１ｂ、１２１ｃと連結された第１ガイド部１２２を収容部１１０ａから個別に引き出すことができる。それにより、第１ガイド部１２２を収容部１１０ａから引き出すのに必要な力を分散できるため、第１ガイド部材１２０を補助グリップ本体１１０から容易に分離することができる。
【０１１４】
第１ガイド部材１２０が補助グリップ本体１１０から分離されれば、図１８に示されたように、補助グリップ本体１１０は弾性力によって収縮する。それにより、収容部１１０ａの内側がゴルフクラブのグリップＧの外側に密着し、補助グリップ本体１１０とゴルフクラブのグリップＧとが結合される。
【０１１５】
一方、第２ガイド部材１３０を補助グリップ本体１１０から分離した後、第１ガイド部材１２０を補助グリップ本体１１０から分離することを説明したが、これに限定されることはない。すなわち、第１ガイド部材１２０を補助グリップ本体１１０から分離した後、第２ガイド部材１３０を補助グリップ本体１１０から分離することもできる。
【０１１６】
以上のように、本発明を限定された実施例と図面によって説明したが、本発明はこれに限定されるものではなく、本発明の属する技術分野で通常の知識を有する者によって本発明の技術思想と特許請求の範囲の均等範囲内で多様な修正及び変形が可能であることは言うまでもない。
【図１】
2016525431.tif 000003
【図２】
2016525431.tif 000004
【図３】
2016525431.tif 000005
【図４】
2016525431.tif 000006
【図５】
2016525431.tif 000007
【図６】
2016525431.tif 000008
【図７】
2016525431.tif 000009
【図８】
2016525431.tif 000010
【図９】
2016525431.tif 000011
【図１０】
2016525431.tif 000012
【図１１】
2016525431.tif 000013
【図１２】
2016525431.tif 000014
【図１３】
2016525431.tif 000015
【図１４ａ】
2016525431.tif 000016
【図１４ｂ】
2016525431.tif 000017
【図１５】
2016525431.tif 000018
【図１６】
2016525431.tif 000019
【図１７】
2016525431.tif 000020
【図１８】
2016525431.tif 000021
【国際調査報告】
2016525431.tif 000022
2016525431.tif 000023
2016525431.tif 000024
2016525431.tif 000025